(57)【要約】      （修正有）【課題】端子同士が接触した直後から、安定した端子間の接触が得られるスイッチを提供する。【解決手段】前面での開口部と、ケースの内部に延出する固定壁とが形成される前面開放の箱状のケースと、ケースの開口部と対向した側壁に保持される固定端子２と、ケースの固定壁に保持される共通端子３と、中間の軸部がケースの開口部に回動可能に保持されると共に、一端の駆動部４２が前記ケース内に収納され、他端の操作部４１がケースの開口部から外方へ突出したレバー４と、中間の折曲部５２がやや撓んだ状態で前記ケース内に収容され、折曲部の一端から延出した第一アーム５３の固定部５１が固定端子に接触し、折曲部の他端から延出した第二アーム５５の接点部５４が共通端子または固定壁の内側壁に弾性的に接した可動端子とを含み、ケースの可動端子の固定部に対応する箇所に固定軸１４１が突出して形成され、円弧状の固定部は固定軸に回動可能に保持される。【選択図】図４
0003157249.tif 000002
【実用新案登録請求の範囲】
【請求項１】
前面での開口部と、ケースの内部に延出する固定壁とが形成される前面開放の箱状のケースと、
前記ケースの開口部と対向した側壁に保持される固定端子と、
前記ケースの固定壁に保持される共通端子と、
中間の軸部が前記ケースの開口部に回動可能に保持されると共に、一端の駆動部が前記ケース内に収納され、他端の操作部が前記ケースの開口部から外方へ突出したレバーと、
中間の折曲部がやや撓んだ状態で前記ケース内に収容され、折曲部の一端から延出した第一アームの固定部が前記固定端子に接触し、折曲部の他端から延出した第二アームの接点部が前記共通端子または固定壁の内側壁に弾性的に接した可動端子と、
を含むスイッチにおいて、
前記ケースの可動端子の固定部に対応する箇所には、固定軸が突出して形成され、
可動端子の円弧状の固定部は、前記固定軸に回動可能に保持されることを特徴とするスイッチ。
【請求項２】
前記固定端子が保持される側壁に、前記ケース内側に延出する支持突出部が設けられ、前記固定部の先端部が前記支持突出部に当接していることを特徴とする請求項１に記載のスイッチ。
【請求項３】
前記固定端子と共通端子は、インサート成型によって前記ケースに植設されて保持され、前記可動端子にそれぞれ接触する接触部と、回路基板に接続するテール部とを備え、前記テール部がケースの外部に露出していることを特徴とする請求項１に記載のスイッチ。
【請求項４】
前記ケースの底部に金属板が配置され、該金属板は前記ケースの外部を露出するテール部を備えることを特徴とする請求項１に記載のスイッチ。
【考案の詳細な説明】
【技術分野】
【０００１】
本考案は、各種電子機器において、記録媒体の有無やメカニズムの動作検出等に用いられるスイッチに関するものである。
【背景技術】
【０００２】
各種電子機器に使用され、テープやディスク等の記録媒体の有無、或いはメカニズムの動作検出等に用いられる検出用のスイッチとしては、特許文献１に掲示されたレバースイッチが広く知られている。従来のスイッチは、絶縁材料で成型されたケースと、ケースに植設固定された共通端子及び固定端子と、ケースの空間に収容された弾性金属薄板製の可動端子と、可動端子の中間の折曲部に当接する当接部材と、前記当接部材に駆動して、ケースの外部に突出するレバーとを含む。前記固定端子は当接部材に対向する側壁に保持され、略Ｖ字状の可動端子の中間の折曲部の一側から延出した第一アーム先端が固定端子に当接している。ケースの収容空間に突出した支持壁には共通端子が保持され、可動端子の中間の折曲部の他側から延出した第二アーム先端が共通端子又はその内側壁に弾性的に接する。レバーを操作し当接部材を協働させて、当接部材によって可動端子を駆動して、可動端子が共通端子を弾性的に接して摺動して共通端子との接離を行うように実現されている。
【先行技術文献】
【特許文献】
【０００３】
【特許文献１】米国特許第７１３５６５１号明細書
【考案の概要】
【考案が解決しようとする課題】
【０００４】
しかしながら、上記従来のスイッチにおいては、可動端子の固定端子に当接する第一アーム先端がケースの側壁だけに位置決めされるので、当接部材により可動端子を弾性変形させる時に、第一アーム先端が固定端子から分離する恐れがあり、可動端子と固定端子との接触が不安定なものになり易いという課題があった。そこで、新型のスイッチを開発することが必要となった。
【０００５】
本考案はかかる事情に鑑みて創作されたものであり、端子同士が接触した直後から、安定した端子間の接触が得られるスイッチを提供することを目的とする。
【課題を解決するための手段】
【０００６】
前記課題を解決するために、本考案は、前面での開口部と、ケースの内部に延出する固定壁とが形成される前面開放の箱状のケースと、前記ケースの開口部と対向した側壁に保持される固定端子と、前記ケースの固定壁に保持される共通端子と、中間の軸部が前記ケースの開口部に回動可能に保持されると共に、一端の駆動部が前記ケース内に収納され、他端の操作部が前記ケースの開口部から外方へ突出したレバーと、中間の折曲部がやや撓んだ状態で前記ケース内に収容され、折曲部の一端から延出した第一アームの固定部が前記固定端子に接触し、折曲部の他端から延出した第二アームの接点部が前記共通端子または固定壁の内側壁に弾性的に接した可動端子と、を含むスイッチにおいて、前記ケースの可動端子の固定部に対応する箇所には、固定軸が突出して形成され、可動端子の円弧状の固定部は、前記固定軸に回動可能に保持されることを特徴とする。
【考案の効果】
【０００７】
本考案に係るスイッチは、可動端子の円弧状の固定部がケースの固定軸に回動可能に支持されて、更に固定部の先端部が支持突出部に当接するため、レバーが操作途中の状態でも、可動端子は固定端子に安定的に接続され、可動接点が共通端子に接触した直後から接点の一定の接触圧力を確保でき、接触が安定したスイッチを得る。
【図面の簡単な説明】
【０００８】
【図１】本考案に係るスイッチの組立斜視図である。
【図２】本考案に係るスイッチの部分の分解斜視図である。
【図３】本考案に係るスイッチの分解斜視図である。
【図４】図１に示すスイッチのカバーを外した平面図である。
【図５】本考案に係るスイッチのケースの斜視図である。
【考案を実施するための形態】
【０００９】
以下、図１〜図４を参照しながら、本考案のスイッチ１００の好ましい実施形態について説明する。
【００１０】
スイッチ１００は、絶縁樹脂製で前面開放の箱形ケース１と、インサート成型等によって、ケース１の底壁１０に植設固定される共通端子３及び、前記ケース１の開口部１０１に対向した側壁に植設固定される固定端子２と、ケース１に収容され、Ｖ字状の弾性金属薄板製の可動端子５と、該可動端子５を駆動するためのレバー４と、ケース１の上面に覆うカバー６とを含む。
【００１１】
前記ケース１は、前面での開口部１０１に円柱状の支持軸１４０が形成され、開口部１０１に対向した側壁１１から支持突出部１１０が形成され、該支持突出部１１０が底壁１０及び側壁１１に一体に連接している。前記開口部１０１と側壁１１とを連接する側壁１３には、ケース１の収容空間１５に斜めに延出する固定壁１３０が形成される。ケース１の固定端子２と所定の間隔をあけた近傍には、固定端子２と対向した円柱状の固定軸１４１が形成される。
【００１２】
固定端子２は、ケース１の底壁１０にインサート成型等によって保持される保持部２０と、前記側壁１１に保持されて収容空間１５に露出する接触部２１と、ケース１の外部に露出して回路基板に接続するためのテール部２２とを含む。
【００１３】
共通端子３は、ケース１の底壁１０にインサート成型等によって保持される保持部３０と、前記固定壁１３０に保持されて収容空間１５に露出する接触部３１と、ケース１の外部に露出して回路基板に接続するためのテール部３２とを含む。
【００１４】
可動端子５は、ケース１の深さよりも細幅の略Ｖ字状の弾性金属板で成型され、中間の折曲部５２がやや撓んだ状態でケース１の収容空間１５内に収納され、この折曲部５２の一端から延出した第一アーム部５３の先端での円弧状の固定部５１が、前記固定軸１４１に回動可能に保持されると共に、固定端子２の接触部２１に常時接触して、固定部５１の先端５１０がケース１の支持突出部１１０と固定軸１４１の間に圧入されている。折曲部５２の他端から延出した第二アーム部５５先端の接点部５４がケース１の支持突出部１１０と対向した固定壁１３０の内側壁に弾性的に接している。
【００１５】
レバー４は絶縁樹脂で成型され、中間の軸部である軸孔４３がケース１の支持軸１４０に回動可能に保持されると共に、一端の駆動部４２はケース１内に収納され、他端の操作部４１はケース１の開口部１０１から右斜め上方に突出している。
【００１６】
また、ケース１の回路基板に対向した底面には金属板７が取付られ、該金属板７は回路基板に接続するために、ケース１の外部に露出するテール部７１が設けられる。金属板７のテール部７１、固定端子２のテール部２２、及び共通端子３のテール部３２によってスイッチ１００が安定に回路基板に実装される。
【００１７】
以上の構成において、レバー４の操作部４１を所定の力で下方向に回動操作すると、図４に示すように、軸孔４３を支点として駆動部４２が時計方向に回動するため、この駆動部４２の左側面に第二アーム部５５の折曲部５２近傍を押圧された可動接点５が、円弧状の固定部５１と固定軸１４１を支点として反時計方向に回動する。
【００１８】
そして、第二アーム部５５の先端の接点部５４がケース１の固定壁１３０の内側壁に沿って弾性的に接して摺動して共通端子３の接触部３１に接触し、第一アーム５３の固定部５１が固定端子２の接触部２１に、接点部５４が共通端子３の接触部３１に、各々弾性的に接した可動接点５を介して、固定端子２と共通端子３との電気的接続が行われる。
【００１９】
また、レバー４の操作部４１への操作力を解除すると、可動接点５の弾性復帰力によって、接点部５４が共通端子３から離れてケース１の内側壁にそって弾性的に接して摺動すると共に、駆動部４２の左側面が第二アーム部５３の折曲部５２近傍に押圧されてレバー４が回動し、操作部４１が初期状態に復帰するように構成されている。
【００２０】
このように本実施の形態によれば、可動接点５の固定部５１が固定端子２と固定軸１４１の間に可動に保持されると共に、第二アーム５５の先端の接点５４がケース１の固定壁１３０の内側壁と共通端子３の接触部３１上を所定の圧力で弾性的に接して摺動して接点の接離が行われるように構成されている。可動端子５の円弧状の固定部５１が固定軸１４１に回動可能に支持されると共に、固定部５１の先端部５１０が支持突出部１１０に当接するため、レバー４が操作途中の状態でも、可動端子５が固定端子２に安定に接続し、可動接点５が共通端子３に接触した直後から接点の一定の接触圧力で確保でき、接触が安定したスイッチを得ることができるものである。
【００２１】
以上、本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００２２】
１００  スイッチ
１  ケース
１０  底壁
１０１  開口部
１１０  支持突出部
１３０  固定壁
１４０  支持軸
１４１  固定軸
２  固定端子
３  共通端子
４  レバー
４１  操作部
４２  駆動部
４３  軸孔
５  可動端子
５１  固定部
５２  折曲部
５３  第一アーム
５４  接点部
５５  第二アーム
５１０  先端部
６  カバー
７  金属板
【図１】
0003157249.tif 000003
【図２】
0003157249.tif 000004
【図３】
0003157249.tif 000005
【図４】
0003157249.tif 000006
【図５】
0003157249.tif 000007